(57)【特許請求の範囲】
【請求項１】
ＣＰＵを含む光度計本体と、ＣＰＵを含む、１又は２以上の外部機器と、を備え、該光度計本体のＣＰＵを所定の手順で動作させ、該光度計本体自体及び外部機器を制御する分光光度計において、
前記光度計本体は、前記光度計本体自体及び外部機器を制御するコマンドを入力するための入力手段と、
前記外部機器のＣＰＵに対して、少なくとも前記コマンドを伝送可能なインタフェースと、を含み、
前記外部機器は、前記光度計本体のＣＰＵ又はその他の外部機器のＣＰＵとの間で、少なくとも前記コマンドを授受可能なインタフェースを含み、
前記光度計本体及び１又は２以上の外部機器を、前記インタフェースを介して数珠つなぎし、
前記光度計本体のＣＰＵは、前記入力手段からのコマンドのうち、該光度計本体自体を制御する本体用コマンドのみを授受し、該本体用コマンドに基づき、該光度計本体を動作させ、
前記外部機器のＣＰＵは、前記光度計本体からのコマンドのうち、該外部機器自体を制御する外部機器用コマンドのみを授受し、該外部機器用コマンドに基づき、該外部機器を動作させることを特徴とする分光光度計。
【請求項２】
請求項１記載の分光光度計において、ＣＰＵを含み、該ＣＰＵを所定の手順で動作させ、前記光度計本体及び外部機器を制御するリモートモジュールを、前記光度計本体のＣＰＵに、数珠つなぎしたことを特徴とする分光光度計。
【請求項３】
請求項１又は２記載の分光光度計において、前記外部機器と同様の機能を有し、ＣＰＵを含まない付属機器を、前記光度計本体のＣＰＵに接続し、
前記光度計本体は、前記コマンドを、前記付属機器との間で授受可能なインタフェースを含み、
前記光度計本体と前記付属機器を、前記インタフェースを介して接続し、
前記光度計本体のＣＰＵは、該光度計本体の入力手段から直接に授受されたコマンド、又は、前記リモートモジュールを介して授受された、該リモートモジュールの入力手段からのコマンドのうち、前記付属機器と同様の機能を有する外部機器を制御する外部機器用コマンドを授受し、該外部機器用コマンドに基づき、該付属機器を動作させることを特徴とする分光光度計。
【発明の詳細な説明】
【０００１】
【発明の属する技術分野】
本発明は、分光光度計、特にその制御機構の改良に関するものである。
【０００２】
【従来の技術】
従来より、試料のスペクトルデータを採取し、該スペクトルデータより試料の成分の定性、定量的分析等を行う分光光度計が周知である。
図１（ａ）には、一般的な分光光度計の概略構成が示されている。
同図に示す分光光度計１０は、試料水槽１２から試料溶液の一部をポンプ１４により吸引し、フローセル１６に導く。
そして、測光部１８により電気信号に変換された測定信号は、Ａ／Ｄ変換部２０によりディジタル信号に変換され、演算処理部２２により透過率、吸光度、濃度等の値に変換される。
【０００３】
このようにして前記分光光度計１０を構成することにより、試料の成分の定性、定量的分析等を行うことができる。
なお、フローセル１６の下流には、放水路２４が設けられ、フローセル１６を出た測定済みの試料溶液は、放水路２４に放水される。
【０００４】
ところで、一般的な分光光度計では、パーソナルコンピュータ等に対して、光度計本体、その他の外部機器等の各機器を、それぞれ並列に接続していた。
即ち、同図（ｂ）に示すように、前記従来の構成の分光光度計１０では、パーソナルコンピュータ等のリモートモジュール２６に対して、例えば、測光部１８、Ａ／Ｄ変換部２２、演算処理部２２等の光度計本体２８と、ポンプ１４等の外部機器を、それぞれ並列に接続していた。そして、リモートモジュール２６を、所定の手順で動作させ、光度計本体２８及び外部機器であるポンプ１４等の各機器を制御していた。
【０００５】
【発明が解決しようとする課題】
ところで、分光光度計では、その本体及びその外部機器等のハードウェアの発達に伴って、それらの機器を制御するソフトウエアの開発も重要である。
しかしながら、近年、光度計本体及びその他の外部機器等のハードウェアの発達に、それらの機器を制御するソフトウエアの開発が追いつかず、また一般的な情報処理の技術としては、従来より種々の技術が存在するが、これをそのまま分光光度計の制御に用いることは、諸般の事情により困難であった。
そこで、この種の分野では、例えば、次に掲げる技術の開発が強く望まれていた。
即ち、前記分光光度計１０では、リモートモジュール２６に対し各機器を並列に接続していた。
【０００６】
しかしながら、例えば、これらの機器を同時に動かすと、リモートモジュールのＣＰＵにかかる負担が大きく、各機器の動作を所定のタイミングで行えず、これにより測定を適正に行えない場合があった。
そこで、従来より、システム全体の高速化を図ることができる技術の開発が強く望まれていたものの、この種の分野では、これを解決するための適切な技術が存在しなかった。
【０００７】
また、前記分光光度計１０では、一の機器に対し一のコマンドが必要であった。
しかしながら、例えば、同様の機能を有する二以上の外部機器を用いた場合、それらのコマンドは、その内容が同じであるにも関わらず、個々の機器に対してそれぞれ必要なため、面倒であった。
そこで、従来より、システム全体の操作容易化を図ることができる技術の開発が強く望まれていたものの、この種の分野では、これを解決するための適切な技術が存在しなかった。
本発明は、前記従来技術の事情に鑑みなされたものであり、その目的は、システム全体の高速化、操作容易化等の効果が得られる分光光度計を提供することにある。
【０００８】
【課題を解決するための手段】
前記目的を達成するために、本発明に係る分光光度計は、ＣＰＵを含む光度計本体と、ＣＰＵを含む、１又は２以上の外部機器と、を備え、該光度計本体のＣＰＵを所定の手順で動作させ、該光度計本体自体及び外部機器を制御する分光光度計において、前記光度計本体は、前記光度計本体自体及び外部機器を制御するコマンドを入力するための入力手段と、前記外部機器のＣＰＵに対して、少なくとも前記コマンドを伝送可能なインタフェースと、を含み、前記外部機器は、前記光度計本体のＣＰＵ又はその他の外部機器のＣＰＵとの間で、少なくとも前記コマンドを授受可能なインタフェースを含み、前記光度計本体及び１又は２以上の外部機器を、前記インタフェースを介して数珠つなぎし、前記光度計本体のＣＰＵは、前記入力手段からのコマンドのうち、該光度計本体自体を制御する本体用コマンドのみを授受し、該本体用コマンドに基づき、該光度計本体を動作させ、
前記外部機器のＣＰＵは、前記光度計本体からのコマンドのうち、該外部機器自体を制御する外部機器用コマンドのみを授受し、該外部機器用コマンドに基づき、該外部機器を動作させることを特徴とする。
なお、前記分光光度計において、ＣＰＵを含み、該ＣＰＵを所定の手順で動作させ、前記光度計本体及び外部機器を制御するリモートモジュールを、前記光度計本体のＣＰＵに、数珠つなぎすることが好適である。
【０００９】
また、前記分光光度計において、前記外部機器と同様の機能を有し、ＣＰＵを含まない付属機器を、前記光度計本体のＣＰＵに接続し、前記光度計本体は、前記コマンドを、前記付属機器との間で授受可能なインタフェースを含み、前記光度計本体と前記付属機器を、前記インタフェースを介して接続し、前記光度計本体のＣＰＵは、該光度計本体の入力手段から直接に授受されたコマンド、又は、前記リモートモジュールを介して授受された、該リモートモジュールの入力手段からのコマンドのうち、前記付属機器と同様の機能を有する外部機器を制御する外部機器用コマンドを授受し、該外部機器用コマンドに基づき、該付属機器を動作させることが好適である。
ここにいう「コマンド」とは、例えば、タイムプログラムそのものでなく、既に各機器に設定されているタイムプログラム等を実行するためのものをいう。
【００１０】
【発明の実施形態】
以下、図面に基づき本発明の好適な実施形態について説明する。
図２（ａ）には、本発明の一実施形態に係る分光光度計の概略構成が示されている。なお、前記図１と対応する部分には、符号１００を加えて示し説明を省略する。
同図に示す分光光度計１１０は、試料水槽１１２から試料溶液の一部をポンプ１１４により吸引し、フローセル１１６に導く。
【００１１】
そして、測光部１１８により電気信号に変換された測定信号は、Ａ／Ｄ変換部１２０によりディジタル信号に変換され、演算処理部１２２により透過率、吸光度、濃度等の値に変換される。
このようにして本実施形態に係る分光光度計１１０を構成することにより、試料の成分の定性、定量的分析等を行うことができる。
【００１２】
本発明において特徴的なことは、光度計本体、外部機器及びリモートモジュール等の各機器を、それぞれ数珠つなぎし、例えば、光度計本体のＣＰＵは、リモートモジュールからのコマンドのうち、該本体自体を制御するコマンドのみを授受し、該コマンドに基づき、該本体を動作させ、また外部機器のＣＰＵは、リモートモジュールからのコマンドのうち、該機器自体を制御するコマンドのみを授受し、該コマンドに基づき、該外部機器を動作させることである。
このために、本実施形態においては、図２（ｂ）に示すように、リモートモジュール１２６、光度計本体１２８及び外部機器であるポンプ１１４等の各機器を、それぞれ数珠つなぎした。
【００１３】
前記リモートモジュール１２６は、ＣＰＵ１３０（中央演算装置）と、入力手段１３２と、インタフェース１３４を含む。
前記入力手段１３２は、各機器を制御するコマンドを入力するためのものである。
前記インタフェース１３４は、光度計本体１２８のＣＰＵ１３６に対して、少なくとも前記コマンドを伝送可能である。
【００１４】
前記光度計本体１２８は、ＣＰＵ１３６と、インタフェース１３８，１４０を含む。
前記インタフェース１３８，１４０は、リモートモジュール１２６のＣＰＵ１３０及びポンプ１１４のＣＰＵ１４２との間で、少なくとも前記コマンドを授受可能なものである。
前記ポンプ１１４は、ＣＰＵ１４２と、インタフェース１４４を含む。
【００１５】
前記インタフェース１４４は、光度計本体１２８のＣＰＵ１３６との間で、少なくとも前記コマンドを授受可能なものである。
そして、光度計本体１２８のＣＰＵ１３６は、リモートモジュール１２６から直接に授受されたコマンドのうち、光度計本体自体を制御する本体用コマンドのみを授受し、該本体用コマンドに基づき、光度計本体１２８を動作させる。
また、ポンプ１１４等の外部機器のＣＰＵ１４２は、光度計本体１２８を介して授受されたリモートモジュール１２６からのコマンドのうち、該外部機器自体を制御する外部機器用コマンドのみを授受し、該外部機器用コマンドに基づき、該外部機器を動作させる。
【００１６】
本実施形態に係る分光光度計１１０は、概略以上のように構成され、次にその作用について説明する。
図３には、本実施形態に係る分光光度計１１０の処理手順を表すフローチャートが示されている。
同図に示すように、電源のＯＮ信号が入力されると、まず機器の接続状態を検出する（ｓ１）。
【００１７】
即ち、リモートモジュール１２６のＣＰＵ１３０は、例えば、機器の接続状態を検出するための検出信号を出力する。ここで、正常に接続されている機器が、該検出信号を授受すると、その機器の情報を、リモートモジュール１２６のＣＰＵ１３０に返送する。一方、電源がＯＦＦの状態か、又は接続状態にエラーが生じている機器からは、その機器の情報がリモートモジュール１２０のＣＰＵ１３０に返送されない。従って、リモートモジュール１２６のＣＰＵ１３０は、前記機器の接続状態を検出するための検出信号が出力してから、所定時間の経過後、その機器情報が返送された機器について正常に接続されていると判断し、またその機器の種類の特定も行う。
【００１８】
このように、リモートモジュール１２６のＣＰＵ１３０は、電源のＯＮ信号が入力されると、まず機器の接続状態を検出し、その接続状態、即ちどの機器が接続されているかは、例えば、ＣＰＵ１３０に接続されたディスプレイ（図示省略）で容易に確認可能とした。
なお、その接続状態の検出は、電源のＯＮ信号が入力されたときのみでなく、常時、行っても良い。
そして、機器の接続状態の検出が終了すると、機器は、スタンバイ状態となり（ｓ２）、使用者からのコマンドの入力待ちとなる。
【００１９】
ここで、使用者が、入力手段１３２より各機器を制御するコマンドを入力すると（ｓ３）、リモートモジュール１２６のＣＰＵ１３０は、該コマンドを光度計本体１２８のＣＰＵ１３６に出力する（ｓ４）。なお、例えば、前記入力手段１３２より入力されたコマンドに、光度計本体１２８を制御する本体用コマンドが含まれると、入力手段１３２からのコマンドには、本体用ラベルが自動に付され、同様にして、各外部機器用コマンドが含まれると、各対応機器用ラベルが自動に付される。
【００２０】
前記コマンドが、光度計本体１２８のＣＰＵ１３６に授受されると、ＣＰＵ１３６は、まず該コマンドの中に、本体用ラベルが有るか否かに基づき、前記リモートモジュール１２６からのコマンドの中に、光度計本体自体を制御する本体用コマンドが有るか否かをチェックする。
【００２１】
ここで、図４（ａ）に示すように、リモートモジュール１２６のＣＰＵ１３０からのコマンドＣAが、本体用コマンドｃ0及び外部機器用コマンドｃ1を含む場合、光度計本体１２８のＣＰＵ１３６は、まず本体用ラベルの有無をチェックし、該本体用ラベルが有ることを確認すると、該光度計本体自体を制御する本体用コマンドｃ0のみを授受し、該本体用コマンドｃ0に基づき、該光度計本体１２８を動作させる。また、ＣＰＵ１３６は、外部機器用コマンドｃ1の内容は解釈せず、前記本体用コマンドｃ0を除いたコマンドＣA’を、外部機器のＣＰＵ１４２に出力する。
【００２２】
また、図４（ｂ）に示すように、リモートモジュール１２６のＣＰＵ１３０からのコマンドＣBが、本体用コマンドｃ0を含まず外部機器用コマンドｃ1を含む場合、光度計本体１２８のＣＰＵ１３６は、まず本体用ラベルの有無をチェックし、該本体用ラベルが前記コマンドＣBの中に無いことを確認すると、コマンドＣBの内容を解釈せず、前記コマンドＣBをそのまま外部機器であるポンプ１１４のＣＰＵ１４２に出力する。
【００２３】
前記コマンドＣが、外部機器であるポンプ１１４のＣＰＵ１４２に授受されると、ＣＰＵ１４２は、まずコマンドＣの中に、その外部機器用ラベルが有るか否かに基づき、光度計本体１２８のＣＰＵ１３６を介して授受されたリモートモジュール１２６のＣＰＵ１３０からのコマンドＣの中に、外部機器自体を制御する外部機器用コマンドｃ1が有るか否かをチェックする。
【００２４】
ここで、前記図４（ａ）に示すように、前記コマンドＣA’が、外部機器用コマンドｃ1を含む場合、ＣＰＵ１４２は、その外部機器用ラベルの有無をチェックし、該外部機器用ラベルが有ることを確認すると、該外部機器用コマンドｃ1のみを授受し、該外部機器用コマンドｃ1に基づき、該外部機器であるポンプ１１４を動作させる。
【００２５】
また、同図（ｃ）に示すように、コマンドＣCが、本体用コマンドｃ0を含み、外部機器用コマンドｃ1を含まない場合、ＣＰＵ１２８は、本体用ラベルの有無をチェックし、該本体用ラベルが有ることを確認すると、該本体用コマンドｃ0を授受するが、この時点で、コマンドＣCには、外部機器用コマンドｃ1が含まれないので、ＣＰＵ１２８は、ＣＰＵ１４２にコマンドＣCを出力しない。
前記コマンドＣの入出力が終了すると、リモートモジュール１２６のＣＰＵ１３０は、前記プログラムを実行し（ｓ６）、各機器の動作を制御する（ｓ７）。
そして、上記プログラムが終了すると、全ての動作を終える。
【００２６】
以上のように、本実施形態に係る分光光度計１１０によれば、各機器を数珠つなぎした。そして、光度計本体１２８のＣＰＵ１３６は、リモートモジュール１２６から直接に授受されたコマンドのうち、該光度計本体自体を制御する本体用コマンドのみを授受し、該コマンドに基づき、該光度計本体１２８を動作させる。また、外部機器１１４のＣＰＵ１４２は、光度計本体１２８を介して授受されたリモートモジュール１２６からのコマンドのうち、該外部機器自体を制御する外部機器用コマンドのみを授受し、該コマンドに基づき、該外部機器であるポンプ１１４を動作させる。
【００２７】
即ち、各機器は、前段の機器を介して授受された、リモートモジュール１２６からのコマンドのうち、その機器自体を制御するコマンドのみを授受し、該コマンドに基づき、該機器を動作させる。これに対し、その機器自体を制御するコマンドが含まれない場合は、該その内容を解釈せず前記コマンドをそのまま後段の機器に送出することとしたので、一のリモートモジュール１２６のＣＰＵ１３６の処理能力の低減を図ることができ、システム全体の処理効率の向上を図ることができる。
【００２８】
また、本実施形態においては、図５に示すように、外部機器であるポンプ２１４と同様の機能を有し、ＣＰＵを含まない付属機器であるポンプ２４６を、光度計本体２２８のＣＰＵ２３６に接続することも可能である。なお、前記図２と対応する部分には、符号１００を加えて示し説明を省略する。
同図に示す分光光度計２１０は、例えば、Ｉ／Ｏインタフェース２４８を含む。
【００２９】
インタフェース２４８は、光度計本体２２８のＣＰＵ２３６からのコマンドを、付属機器２４６との間で授受可能なものである。そして、光度計本体２２８のＣＰＵ２３６と付属機器であるポンプ２４６を、前記インタフェース２４８を介して接続した。
この場合、光度計本体２２８のＣＰＵ２３６は、前述のようにリモートモジュール２２６のＣＰＵ２３０から直接に授受されたコマンドのうち、光度計本体自体を制御するコマンドが有るか否かをチェックすると共に、該ＣＰＵ２３６に接続された付属機器であるポンプ２４６と同様の機能を有する外部機器であるポンプ２１４を制御する外部機器用コマンドが有るか否かもチェックする。
【００３０】
そして、図６（ａ）に示すように、リモートモジュール２３０からのコマンドＣAが、本体用コマンドｃ0及び外部機器用コマンドｃ1を含む場合は、ＣＰＵ２３６は、本体用ラベル、及び付属機器であるポンプ２４６と同様の機能を有するポンプ２１４の外部機器用ラベルが有ることを確認すると、本体用コマンドｃ0及び外部機器用コマンドｃ1を授受し、該本体用コマンドｃ0に基づき、該光度計本体２２８を動作させ、また該外部機器コマンドｃ1に基づき、該付属機器であるポンプ２４６を動作させる。
【００３１】
これに対し、図６（ｂ）に示すように、リモートモジュール２３０からのコマンドＣBが、ポンプ２４６の外部機器用コマンドｃ1を含むが、付属機器であるポンプ２３２と外部機器であるポンプ２４６の機能が異なる場合は、光度計本体のＣＰＵ２３６は、本体用ラベルが無く、かつ、付属機器と同様の機能を有する外部機器用ラベルが無いことを確認すると、コマンドｃ1の内容を解釈せず、コマンドＣBをそのままＣＰＵ２４２に出力する。
【００３２】
このように、本実施形態に係る分光光度計２１０によれば、外部機器であるポンプ２１４と同様の機能を有する付属機器であるポンプ２４６を、光度計本体２２８のＣＰＵ２３６に接続した場合、光度計本体２２８のＣＰＵ２３６は、リモートモジュール２２６のＣＰＵ２３０からのコマンドのうち、付属機器であるポンプ２４６と同様の機能を有する外部機器であるポンプ２１４を制御する外部機器用コマンドを授受し、該コマンドに基づき、該付属機器であるポンプ２４６を動作させる。
【００３３】
この結果、一のコマンドで、同様の機能を有する二以上の機器を制御することができ、例えば、同様の機能を有する機器であっても、それぞれ別個のコマンドで制御していたものに比較し、操作容易化、システム全体の処理効率の向上を図ることができる。
また、この場合も、前記電源のＯＮ信号が入力されると、まず機器の接続状態を検出する。
【００３４】
即ち、リモートモジュール２２６のＣＰＵ２３０は、例えば、機器の接続状態を検出するための検出信号を出力する。ここで、光度計本体２２８のＣＰＵ２３６に、正常に接続されている機器が、該検出信号を授受すると、その機器の情報を、光度計本体２２８のＣＰＵ２３６に返送する。一方、電源がＯＦＦの状態か、又は接続状態にエラーが生じている機器からは、その機器の情報がＣＰＵ２３６に返送されない。従って、リモートモジュール２２６のＣＰＵ２３０は、前記機器の接続状態を検出するための検出信号が出力してから、所定時間の経過後、その機器情報が、ＣＰＵ２３６を介して返送された機器について正常に接続されていると判断し、またその機器の種類の特定も行う。
【００３５】
このように、リモートモジュール２２６のＣＰＵ２３０は、電源のＯＮ信号が入力されると、前記外部機器だけでなく、光度計本体２２８のＣＰＵ２３６に接続されているポンプ２４６等の付属機器の接続状態をも検出し、その接続状態、即ちどの機器が接続されているかは、例えば、リモートモジュール２２６のディスプレイ（図示省略）等で容易に確認可能とした。
なお、その接続状態の検出は、電源のＯＮ信号が入力されたときのみでなく、常時、行っても良い。
【００３６】
また、この付属機器の動作の制御は、該付属機器自体が行うのでなく、光度計本体２２８のＣＰＵ２３６が行う。即ち、付属機器からは、測定データが、光度計本体２２８のＣＰＵ２３６に入力され、ＣＰＵ２３６は、該測定データに基づき、ポンプ２４６等の付属機器の動作を制御する。例えば、この付属機器がヒータの場合、光度計本体２２８のＣＰＵ２３６には、付属機器であるヒータからの温度情報が入力され、ＣＰＵ２３６は、該ヒータから送られてくる温度情報が、所定の設定値と一致するようにヒータをＯＮ、ＯＦＦしている。
【００３７】
さらに、前記各構成では、リモートモジュール１２６，２２６の電源のＯＮ信号が入力されたときと、その後の常時、各機器の接続状態の検出を自動に行うこととしたので、各機器の保守等を容易に、かつ迅速に行うことができる。
【００３８】
＜リモートモジュール＞
従来、前記リモートモジュールとしては、一般に、ＣＰＵ（中央演算装置）に対し、キーボード、マウス等の入力手段、ＣＲＴディスプレイ等の表示手段等が接続されたデスクトップ型、タワー型等のパーソナルコンピュータを用いていた。
しかしながら、前記パーソナルコンピュータを、分光光度計のリモートモジュールとして用いるためには、大きさ、重さ、操作性等の点で、まだまだ改善の余地が残されていた。
【００３９】
そこで、本実施形態においては、前記リモートモジュールとして種々のものを用いることができるが、例えば、次に掲げるものを用いることが好ましい。
（１）前記入力手段として、薄型軽量のタッチパネルを用いたもの。
（２）前記表示手段として、薄型軽量の液晶ディスプレイを用いたもの。
（３）前記ＣＰＵ（中央演算装置）の処理内容を変更可能なもの。
【００４０】
図７（ａ）には、本実施形態に係るリモートモジュールの斜視図が、図７（ｂ）には、該モジュールの概略構成を表すブロック図が、それぞれ示されている。なお、前記図２と対応する部分には、符号２００を加えて示し説明を省略する。同図に示すリモートモジュール３２６は、ＣＰＵ３３０と、記憶手段３５０と、入力手段３３２と、表示手段３５２と、インタフェース３３４，３５４と、ＰＣカードスロット３５６を備える。
【００４１】
前記ＣＰＵ３３０は、プログラム又は手順を実行し又は処理するための中枢となっている。即ち、本実施形態において、ＣＰＵ３３０は、リモートモジュール３２６を所定の手順で動作させ、該モジュール自体を制御し、また光度計本体及び外部機器の動作を制御する。
このＣＰＵ３３０には、記憶手段３５０、入力手段３３０、表示手段３５２、インタフェース３３４，３５４、ＰＣカードスロット３５６等が接続される。
【００４２】
記憶手段３５０は、読み出し専用メモリ（ＲＯＭ３５８）と、データの書き込みと読み出しが随時可能なメモリ（ＲＡＭ３６０）を含む。
前記ＲＯＭ３５８には、各種のプログラムが格納されている。
前記ＲＡＭ３６０は、観測データ記憶部３６２と、プログラム等記憶部３６４を含む。
【００４３】
前記観測データ記憶部３６２は、光度計本体で得た観測データを記憶する。
前記プログラム等記憶部３６４は、例えば、増設カード３６６に記憶されているプログラム等が読み込まれる。
そして、ＣＰＵ３３０は、ＲＯＭ３５８に格納されているプログラム、プログラム等記憶部３６２に読み込まれたプログラム等に基づき、リモートモジュール３２６を所定の手順で動作させ、各機器の動作の制御を行ったり、データ処理等を実行する。
【００４４】
前記入力手段３３０は、ファンクションキー３６８と、表示手段３５２の画面上に設けられたタッチパネル３７０を含み、文字、選択指令等を入力するためのものである。
前記表示手段３５２は、液晶ディスプレイ（ＬＣＤ）よりなり、ＣＰＵ３３０からの指示に基づき、メインメニュー等の画面を表示する。
【００４５】
前記ＰＣカードスロット３５６は、後述する種々の増設カード３６６が挿入され、該増設カード３６６とＣＰＵ３３０との間を接続するためのものである。
そして、ＣＰＵ３３０は、電源のＯＮ信号が入力されると、まずＲＯＭ３５８に格納されているプログラムを読み出し、該プログラムに基づき、表示手段３５２にメインメニュー等を表示する。
【００４６】
つぎに、増設カード３６６等に記憶されているカードプログラムの起動を指示する信号が、タッチパネル等の入力手段３３０より入力されると、ＣＰＵ３３０は、増設カード３６６等に記憶されているカードプログラムを、ＲＡＭ３６０のプログラム等記憶部３６４に読み込み、該プログラムに基づき、各機器の動作の制御を行ったり、データ処理等を実行する。
【００４７】
本実施形態に係る分光光度計によれば、リモートモジュール３２６の入力手段３３０として薄型軽量のタッチパネル、表示手段３５２として薄型軽量の液晶ディスプレイ等を採用することとしたので、リモートモジュール全体の小型軽量化を図ることができる。
また、このリモートモジュール３２６は、ＣＰＵ３３０と、後述する種々の増設カード３６６との間を接続するためのＰＣカードスロット３５６を備えることとしたので、拡張性に優れている。
【００４８】
＜増設カード＞
本実施形態においては、前記増設カード３６６として種々のものを用いることができるが、該カード３６６に記憶されているプログラムに基づき、リモートモジュール３２６は、例えば、次に掲げる処理を実行することが好ましい。
【００４９】
自動測定、データ処理
従来、測定条件、データ処理条件等の設定は、一般に使用者が一回の測定終了毎に行っていた。
しかしながら、分光光度計では、同じ条件の下に測定、データ処理を行うことが多く、上述のように１回の測定終了毎に、同じ設定をしなければならないことは、面倒であった。
そこで、本実施形態においては、前記増設カードとして試料の測定から、試料に固有な値を計算する迄の手順が記憶されているものを用い、またその手順は、変更可能とした。
【００５０】
図８には、本実施形態に係るリモートモジュールの概略構成を表すブロック図が示されている。なお、前記図７と対応する部分には、符号１００を加えて示し説明を省略する。
同図に示すリモートモジュール４２６において、入力手段４３２は、試料の測定から、試料に固有な値を計算する迄を行うために必要なコマンド等を入力するためのものである。また、その手順等は、入力手段４３２より書換可能とした。同図に示す増設カード４６６は、プログラム等記憶部４７２と、測定法記憶部２７４と、四則演算法記憶部４７６と、出力法記憶部４７８を含む。
【００５１】
前記プログラム等記憶部４７２は、試料の測定から、試料に固有な値を計算する迄を行うための基本的なプログラムが記憶されている。
前記測定法記憶部４７４は、入力手段４３２より入力された、測定法及びそれに関連する係数等の設定が記憶される。
【００５２】
四則演算法記憶部４７６は、入力手段４３２より入力された、試料に固有な値を計算するための計算式及びそれに関連する係数等の設定が記憶される。
出力法記憶部４７８は、入力手段４３２より入力された、表示手段による画面表示、印字手段により印字等の出力処理に関連する設定が記憶されている。
ＣＰＵ４３０は、増設カード４６６の各記憶部に記憶されている内容に基づき、リモートモジュール自体、光度計本体及びその他の外部機器等を制御する。
なお、増設カード４６６の各記憶部の内容は、入力手段４３２より書換可能とした。
【００５３】
本実施形態に係るリモートモジュール４２６は、概略以上のように構成され、以下にその作用について説明する。
図９には、本実施形態に係るリモートモジュール４２６の処理内容を示すフローチャートが示されている。
例えば、増設カード４６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード４６６を差し込み（ｓ５）、自由計算プログラムの起動を指示する信号が入力されると、ＣＰＵ４３０は、自由計算プログラムを起動する（ｓ６）。
即ち、ＣＰＵ４３０は、増設カード４６６の各記憶部に記憶されているプログラム、設定内容等を、ＲＡＭ４６０のプログラム等記憶部４６４に読み込み、表示手段４５２の画面に、その設定メニュー画面を表示させる。
【００５４】
前記メニュー画面を表示すると、各機器は、スタンバイ状態となり、キー入力待ちとなる（ｓ７）。
ここで、使用者が、入力手段４３２より、自由計算プログラムの実行を指示する信号を入力すると（ｓ８）、ＣＰＵ４３０は、各記憶部４７２〜４７８に記憶されている設定内容に基づき、各機器を制御し、試料の測定から、試料に固有な値を計算する迄の手順を順次行う。
即ち、測定法記憶部４７４に設定された条件に基づき、試料の測定を行い（ｓ９）、観測データを得る。
【００５５】
前記観測データが、観測データ記憶部４６２に格納されると、四則演算法記憶部４７６に設定された条件に基づき、観測データ記憶部４６２で得た観測データのうち、所定の波長又は時間について観測データを読み込み、該観測データを所定の計算式で計算する（ｓ１０）。
上記データ処理が終了すると、出力法記憶部４７８に記憶された条件に基づき、所定の計算結果等を表示手段４５２に表示させたり、印字手段（図示省略）に印字させる（ｓ１１）。
【００５６】
本実施形態に係るリモートモジュール４２６によれば、増設カード４６６として、試料の測定から、試料に固有な値を計算する迄の手順が記憶されているものを用いることとしたので、特に、同様の条件の下に測定、データ処理等を繰り返す場合は、その工夫のないものに比較し、計算ミスの低減、操作容易化等を大幅に図ることができる。
また、その手順の内容は、入力手段４３２より、適宜書換可能としたので、種々の仕様の変更に対応することができる。
【００５７】
ハードコピー
従来、分光光度計では、表示手段の画面をハードコピーするためには、入力手段よりそのためのコマンドを入力することが一般的であった。
しかしながら、上記コマンドを入力するためには、多くのキー操作を必要とし、
またこの分光光度計の分野では、スペクトル等を扱うため、その他の情報処理の分野に比較しハードコピーの回数が多く、面倒であった。
そこで、本実施形態においては、増設カードとして、表示手段の画面をハードコピーをするためのプログラムが記憶されているものを用いることとした。
【００５８】
図１０には、本実施形態に係るリモートモジュール５２６のブロック図が示されている。なお、前記図７と対応する部分には、符号２００を加えて示し説明を省略する。
同図に示すリモートモジュール５２６において、インタフェース５５４には、ＥＳＣ／Ｐプリンタ、ＰＣＬプリンタ等のプリンタ（図示省略）が接続される。また、増設カード５６６は、プログラム等記憶部５８０と、コマンド登録部５８２と、画面情報記憶部５８４を備える。
【００５９】
前記プログラム等記憶部５８０は、ハードコピーを行うための基本的なプログラム等が記憶されている。
前記コマンド登録部５８２は、入力手段５３２より入力された、ハードコピーを行うための一連のコマンドを記憶し、また該コマンド操作の内容は、キーに割り付けられている。
【００６０】
前記画面情報記憶部５８４は、前記コマンド登録部５８２で割り付けられているキーが入力された時の画面内容を記憶する。
そして、ＣＰＵ５３０は、入力手段５３２より、コマンド登録部５８２で割り付けられたキー、即ちハードコピーの開始を指示するためのキーが入力されると、表示手段５５２に表示している画面情報を、画面情報記憶部５８４に記憶する。
【００６１】
画面情報が記憶されると、ＣＰＵ５３０は、画面情報記憶部５８４に格納された画面情報を、インタフェース５５４を介してＥＳＣ／Ｐプリンタ、ＰＣＬプリンタ等のプリンタ（図示省略）に出力させる。
本実施形態に係るリモートモジュール５２６は、概略以上のように構成され、以下にその作用について説明する。
【００６２】
図１１には、リモートモジュール５２６の処理内容を示すフローチャートが示されている。
同図に示すように、例えば、増設カード５６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード５６６を差し込み（ｓ５）、ハードコピープログラムの起動を指示する信号が入力されると、ＣＰＵ５３０は、ハードコピープログラムを起動する。
【００６３】
即ち、ＣＰＵ５３０は、増設カード５６６の各記憶部５８０〜５８４に記憶されているプログラム、設定内容等を、ＲＡＭ５６０のプログラム等記憶部５６４に読み込み、表示手段５５２の画面に、その設定メニューを表示させる（ｓ６）。
ここで、使用者が、入力手段５３２より、ハードコピーを行うためのコマンドを入力し、また該コマンド操作の内容を、所望のキーに割り付ける（ｓ７）。
上記コマンド等が入力されると、ＣＰＵ５３０は、その設定内容をコマンド登録部５８２に記憶する。
【００６４】
次に、例えば、試料の測定中、データ処理中等において（ｓ８）、前記コマンド登録部５８２に設定されたキーが入力されると（ｓ９）、ＣＰＵ５４０は、表示手段５５２に表示している画面情報を、画面情報記憶部５８４に記憶する（ｓ１０）。
前記画面情報が画面情報記憶部５８４に記憶されると、ＣＰＵ５４０は、画面情報記憶部５８４に格納された画面情報を、インタフェース５５４を介してＥＳＣ／Ｐプリンタ、ＰＣＬプリンタ等のプリンタに出力させる。
【００６５】
本実施形態に係るリモートモジュール５２６によれば、上述のように増設カード５６６として、ハードコピーを行うためのコマンド等が記憶されているものを用い、またその設定内容は適宜書換可能としたことにより、使用者は割り付けられたキーを入力するのみで、表示手段に表示されている画面情報のプリンタへのハードコピーを行うことができるので、スペクトルデータ等のハードコピーの回数が多い分光光度計の分野では、その工夫のないものに比較し、操作容易化を大幅に図ることができる。
【００６６】
かな漢字変換
分光光度計では、観測データ又はその計算結果に対して、測定条件、データ処理条件等のコメントを入力することが多く、そのコメントの文字には、アルファベットの大文字又は小文字のみを用いることが一般的であった。
しかしながら、機器の多機能化に伴って、前記測定条件、データ処理条件等も細かく設定することができるようになったため、従来のアルファベットの大文字又は小文字のみでは、満足のゆく情報が得られない場合があった。
そこで、本実施形態においては、前記増設カードとして、かな漢字変換を行うためのプログラムが記憶されているものを用いることとした。
【００６７】
図１２には、本実施形態に係るリモートモジュール６２６の概略構成を表すブロック図が示されている。
同図に示すリモートモジュール６２６において、前記増設カード６６６は、プログラム等記憶部６８６、変換文字、記号等の変換文字記憶部６８８を含む。
【００６８】
前記プログラム等記憶部６８６は、コメント等の入力を行うための基本的なプログラムが記憶されている。
前記変換文字記憶部６８８は、ひらがな、ローマ字等の各入力文字に対応する、漢字、記号等の変換文字が記憶されている。
そして、入力手段６３２より、例えば、ひらがな又はローマ字で入力した読み（かな）を入力する。
また、表示手段６５２には、ＣＰＵ６３０からの指示に基づき、例えば、ひらがな又はローマ字で入力した読み（かな）、漢字かな交じり文等が表示される。即ち、ＣＰＵ６３０は、入力手段６３２より入力された「かな」に対応する漢字、記号等を、変換文字記憶部６８８から検索して表示手段６５２に表示させる。
【００６９】
本実施形態に係るリモートモジュール６２６は、概略以上のように構成され、以下にその作用について説明する。
図１３には、本実施形態に係るリモートモジュール６２６の処理内容を表すフローチャートが示されている。
同図に示すように、例えば、増設カード６６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード６６６を差し込み（ｓ５）、コメントを入力するためのプログラムの起動を指示する信号が入力されると、ＣＰＵ６３０は、コメントを入力するための画面を起動する。
【００７０】
即ち、ＣＰＵ６３０は、増設カード６６６の各記憶部に記憶されているプログラム、設定内容等を、ＲＡＭ６６０のプログラム等記憶部６６４に読み込み、表示手段６５２の画面に、コメントの入力画面を表示させる（ｓ６）。使用者は、その入力画面に従って、コメント等の入力を行う。
即ち、入力手段６３２より、ひらがな又はローマ字で入力した読み（かな）が入力されると（ｓ７）、ＣＰＵ６３０は、変換文字記憶部６８８に記憶されている漢字、記号等の変換文字を読み出す。
読み出した漢字、記号等の変換文字を表示手段に表示する（ｓ８）。
ここで、入力手段より変換キーが入力されると、入力された（かな）に対する同音異義の漢字、記号等を順次表示手段６５２に表示させる。
【００７１】
これに対し、確定キーが入力されると（ｓ９）、選択された漢字を出力する。
本実施形態に係るリモートモジュール６２６によれば、上述のように、増設カード６６６として、観測データ又はその計算結果等に対して、漢字等でコメントを入力することができるプログラムが記憶されているものを用いることにより、アルファベットの大文字又は小文字のみで書かれたコメントに比較し、使用者は、より詳細な情報を得ることができる。
【００７２】
なお、本実施形態において、かな入力工程時（ｓ７）における入力モードには、例えば、図１４に示すように、小文字入力モード（同図（ａ）参照）、大文字入力モード（同図（ｂ）参照）、カタカナ入力モード（同図（ｃ）参照）、記号入力モード（同図（ｄ）参照）等があり、タッチパネル６７０等により、表示手段６５２の画面の右上端のボタン６９０を順次クリックすることにより、入力モードを適宜変更することができる。
【００７３】
メモリカード
従来、測定から計算結果の印刷までが、一の流れであった。
しかしながら、測定から計算結果の印刷までが一の流れであると、所望の処理のみ、例えば、測定のみ、計算のみ又は印字のみを行いたい場合でも、これを行えず、使い難いものであった。
そこで、本実施形態においては、前記増設カードとして次に掲げるプログラム等が記憶されているものを用いることが好ましい。
【００７４】
図１５には、本実施形態に係るリモートモジュールの概略構成を表すブロック図が示されている。なお、前記図７と対応する部分には、符号４００を加えて示し説明を省略する。
同図に示すリモートモジュール７２６において、増設カード７６６は、プログラム等記憶部７９２と、観測データ記憶部７９４を含む。
前記プログラム等記憶部７９２は、観測データ記憶部７９４に記憶された、所定の波長（時間）の観測データを表にして平均、標準偏差、変動係数等の統計計算、所定の波長（時間）の観測データの編集、所定の波長（時間）の観測データの計算結果の表示等を行うために必要な基本的なプログラムが記憶されている。
【００７５】
前記観測データ記憶部７９４は、光度計本体で得た観測データが記憶される。そして、例えば、測定終了後、ＣＰＵ７３０は、前記増設カード７６６の各記憶部に記憶されたプログラム等を読み込み、該プログラムに基づき、観測データ記憶部７９４に記憶されている観測データに適宜アクセスして所定の波長（時間）の観測データを検索し、該所定の波長（時間）の観測データに対して、所望の処理、例えば、計算のみ、印字のみ又は計算からその計算結果の印字迄等を行う。
【００７６】
なお、ＣＰＵ７３０は、光度計本体で得た観測データを、前記増設カード７６６の観測データ記憶部７９４に代えて、ＲＡＭ７６０の観測データ記憶部７６２に記憶させることができる。
また、ＣＰＵ７３０は、前記観測データ記憶部７９４又は７６４に記憶されている任意の波長（時間）の観測データを、再測定されたデータで置換することもできる。
【００７７】
本実施形態に係るリモートモジュール７２６は、概略以上のように構成され、以下にその作用について説明する。
図１６には、本実施形態に係るリモートモジュール７２６の処理内容を表すフローチャートが示されている。
同図に示すように、例えば、増設カード７６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード７６６を差し込み（ｓ５）、該カードに記憶されているプログラムの起動を指示する信号が入力されると、ＣＰＵは、該カードプログラムを起動する。
【００７８】
カードプログラムが起動すると、表示手段には、カードメニュが表示されるので（ｓ６）、ここで使用者は、入力手段を用い、条件編集メニュー、結果表示メニュー、統計計算メニュー等より、所望のメニューを選択する（ｓ７）。
メニューが選択されると、そのメニューに従って、各処理を行う。
例えば、条件編集メニューを選択すると（ｓ８）、測定条件等の編集を行うことができる（ｓ９）。
【００７９】
また、測定条件の結果表示メニューを選択すると（ｓ１０）、表示手段には、測定条件の表示メニュー画面が表示され、表示したい観測データの試料番号、メモリ番号又はファイル番号等を入力すると、図１７（ａ）に示す測定条件画面が表示される（ｓ１１）。
また、統計計算メニューを選択すると（ｓ１２）、図１７（ｂ）に示す統計計算メニュー画面が表示され、該メニュー画面より編集キー、表示キー、計算キー、印字キー（図示省略）を選択し、編集（ｓ１３）、表示（ｓ１４）、計算（ｓ１５）、印字（ｓ１６）を行う。
ここで、編集キーを選択すると、図１８（ｃ）に示すメニュー画面が表示され、該メニュー画面には、例えば、測定キー、有効キー、無効キー、全消去キー、終了キーが表示される。
【００８０】
前記測定キーを選択すると、試料の再測定を行うことができ、さらに、既に観測データ記憶部に記憶されている所定の波長（時間）の観測データを、ここで再測定した観測データで置換することもできる。
前記有効キーを選択すると、該試料番号、例えば、試料番号４−５の観測データを有効にすることができる。
前記無効キーを選択すると、この画面に表示されている試料番号、例えば、試料番号４−５の観測データを無効にすることができる。
【００８１】
前記全消去キーを選択すると、観測データ記憶部に記憶されている全ての観測データを消去することができる。
前記消去キーを選択すると、この画面に表示されている試料番号、例えば試料番号４−５の観測データを、観測データ記憶部より消去することができる。
前記終了キーを選択すると、このメニュー画面を終了し、前段のメニュー画面、即ち、前記図１７（ｂ）に示すメニュー画面に戻ることができる。
ここで、計算キーを選択し、計算メニュー画面を開き、計算する観測データの試料番号、メモリ番号又はファイル番号等を選択すると、該所定の観測データの計算を行うことができる。そして、計算終了後、表示キー等を選択すると、例えば、図１７（ｄ）に示す計算結果を表示することができる。
【００８２】
本実施形態に係るリモートモジュール７２６によれば、上述のように増設カード７６６として、上記プログラムが記憶されているものを用いることにより、測定から印字迄を連動させることなく、例えば、一定のルーティン業務（測定）終了後に所望の処理のみ、例えば計算のみ、印字のみ等を行うことができる。また、同じ試料を再度測定し、表にまとめることができる。測定から印字迄を連動させず別個独立に行うことができるので、例えば、測定時には、プリンタを接続せず、連続測定を行うことができ、測定終了後、計算等の所望の処理をすることができるので、その工夫のないものに比較し、使いやすいものとなる。
【００８３】
印字制御
従来、印字を実行すると、観測データ、計算結果、測定条件、コメント等に関する全ての情報が印字されてしまうことが一般的であった。
しかしながら、前述のように、観測データ又はその計算結果に関する全ての情報が印字されてしまうと、必要な情報が見難い等の問題点があった。
そこで、本実施形態においては、前記増設カードとして、観測データ又はその計算結果に関する情報のうち、所望の情報のみを印字手段で印字することができるプログラムが記憶されているものを用いることが好ましい。
【００８４】
図１９には、本実施形態に係るリモートモジュール８２６のブロック図が示されている。なお、前記図７と対応する部分には、符号５００を加えて示し説明を省略する。
同図に示すリモートモジュール８２６において、増設カード８６６は、プログラム等記憶部８９６と、コメント情報記憶部８９８、出力情報記憶部８９９を含む。
【００８５】
前記プログラム等記憶部８９６は、印字制御を行うために必要な基本的なプログラム等が記憶されている。
前記コメント記憶部８９８は、測定データ及びその計算結果に関する全ての情報が記憶されている。
前記出力情報記憶部８９９は、コメント記憶部８９８に記憶された情報のうち、どの情報を印字するかが記憶されている。
そして、ＣＰＵ８３０は、入力手段８３２より、観測データ、その計算結果等印字を指示するコマンドが入力されると、コメント情報記憶部８９８に記憶された情報より、出力情報記憶部８９９に記憶された情報を検索し、印字手段に印字させる。
【００８６】
本実施形態に係るリモートモジュール８２６は、概略以上のように構成され、以下にその作用について説明する。
図２０には、本実施形態に係るリモートモジュール８２６の処理内容を示すフローチャートが示されている。
同図に示すように、例えば、増設カード８６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード８６６を差し込み（ｓ５）、カードプログラムの起動を指示する信号が入力されると、ＣＰＵは、該カードプログラムを起動する。
【００８７】
即ち、ＣＰＵ８３０は、増設カード８６６の各記憶部に記憶されているプログラム、設定内容等を、ＲＡＭ８６０のプログラム等記憶部８６４に読込み、表示手段８５２の画面に、その設定メニュー画面を表示させる（ｓ６）。
ここで、使用者は、タッチパネル等の入力手段８３２より、どの情報を印字するかを選択する（ｓ７）。
即ち、表示手段８５２の画面には、図２１（ａ）〜（ｂ）に示す画面が順次表示されので、使用者は、印字したい項目をチェックし、印字したくない項目のチェックは外す。
【００８８】
例えば、設定メニュー画面の１頁目では、同図（ａ）に示すようにタッチパネルを用い、試料番号、旋光度、日付の欄をチェックし、次にＮｅｘｔスイッチ・キーを押すと、同図（ｂ）に示すように、設定メニュー画面の２頁目が表示されるが、本実施形態においては、積分時間、光源の項目は、選択しなかった。
ここで、保存を指示する信号が入力されると、その設定内容は、印字情報記憶部８９９に記憶される。
【００８９】
印字項目が使用者により選択されると、ＣＰＵ８３０は、コメント情報記憶部８９８に記憶された情報より、印字情報記憶部８９９に記憶された情報を検索し、前記設定メニュー画面でチェックされた項目のみを印字手段に印字させる（ｓ８）。
本実施形態に係るリモートモジュール８２６によれば、どの情報を印字するかを選択可能とし、またその設定内容は、容易に変更可能としたので、観測データ、その計算結果等に関する全ての情報が印字されてしまうものに比較し、印字結果は、見やすいものとなる。
【００９０】
データ置換
本実施形態においては、前記増設カードとして、データ置換が可能なプログラムが記憶されているものを用いることが好ましい。
図２２には、本実施形態に係るリモートモジュール９２６のブロック図が示されている。なお、前記図７と対応する部分には、符号７００を加えて示し説明を省略する。
同図に示すリモートモジュール９２６において、前記増設カード９６６は、プログラム等記憶部１００１と、番号記憶部１００３と、観測データ記憶部１００５を備える。
【００９１】
前記プログラム等記憶部１００１は、観測データの保存法を設定するために必要な基本的なプログラム、該観測データを計算するための計算プログラム等を記憶する。
前記番号記憶部１００３は、前記観測データの試料番号、メモリ番号等を記憶する。
【００９２】
前記観測データ記憶部１００５は、光度計本体で得た観測データを各メモリ番号毎に記憶する。
そして、入力手段９３２より観測データに対して試料番号を付し、またメモリ番号を付す。その設定内容は、番号記憶部１００３に記憶される。
【００９３】
ＣＰＵ９３０は、入力手段９３２より、試料番号が入力されたときは、その試料番号に対応したメモリ番号を検索し、該メモリ番号に格納された観測データを、観測データ記憶部１００５より検索し、該観測データについて所定の計算を行わせる。
なお、ＣＰＵ９３０は、観測データ記憶部１００５に記憶された観測データのうち、任意のメモリ番号の観測データを、入力手段９３２より入力されたメモリ番号の観測データで置換することも可能である。
【００９４】
本実施形態に係るリモートモジュール９２６は、概略以上のように構成され、以下にその作用について説明する。
図２３には、本実施形態に係るリモートモジュール９２６の処理内容を表すフローチャートが示されている。
同図に示すように、例えば、増設カード９６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード９６６を差し込み（ｓ５）、カードプログラムの起動を指示する信号が入力されると、ＣＰＵ９３０は、該カードプログラムを起動する。
即ち、ＣＰＵ９３０は、増設カード９６６の各記憶部に記憶されているプログラム、設定内容等を、ＲＡＭ９６０のプログラム等記憶部９６４に読込み、表示手段９５２の画面に、その設定メニュー画面を表示させる（ｓ６）。
【００９５】
ここで、使用者は、タッチパネル９７０等の入力手段より、観測データを自動保存するか、又は手動保存するかを設定することができる（ｓ７）。
ここで、使用者は、自動保存を選択すると、図２４（ａ）に示すように、光度計本体で得た観測データは、測定した順序で試料番号が自動に付され、試料番号１の観測データは、観測データ記憶部１００５のメモリ番号１のエリアに、試料番号２の観測データは、メモリ番号１のエリアに自動に保存される。即ち、試料番号ｎの観測データは、メモリ番号ｎに、それぞれ自動に割り当てられて格納される（ｓ８）。
【００９６】
これに対し、使用者が、手動保存を選択すると、図２８（ｂ）に示すように観測データを所望の試料番号ｎに設定し（ｓ９）、またメモリ番号ｍも所望の番号に設定することができる（ｓ１０）。その設定内容は、番号記憶部１００３に保存される（ｓ１１）。
なお、前述のように試料番号、メモリ番号を設定した後でも、任意のメモリ番号の観測データを、所定のメモリ番号の観測データで置換することも可能である。
【００９７】
本実施形態に係るリモートモジュール９２６によれば、観測データを所定のメモリ番号に、１対１に対応させて、自動に保存することの他に、使用者が観測データの試料番号ｎ及びそのメモリ番号ｍを自由に設定可能としたので、また任意のメモリ番号ｎの観測データを、所定のメモリ番号ｍの観測データで置換することも可能としたので、観測データに試料番号及びメモリ番号が自動に割り当てられてしまい、これを変更できないものに比較し、観測データの情報処理が行い易いものとなる。
【００９８】
データ変換
光度計本体で得た観測データは、表計算ソフトウエア等のデータ処理用ソフトウエアで読み込めるようなファイル形式でなかったため、観測データのデータ処理を行う場合は、ファイルコンバータ等で変換することが必要であった。
しかしながら、従来の旋光計等の分光光度計は、このような機能を備えていなかった。
そこで、本実施形態においては、前記増設カードとして種々のコンピュータ、メディア間でデータ変換が可能な機能を備えることが好ましい。
【００９９】
図２５には、本実施形態に係るリモートモジュールの概略構成を表すブロック図が示されている。なお、前記図７と対応する部分には、符号７００を加えて示し説明を省略する。
同図に示すリモートモジュール１０２６において、インターフェース１０５４には、データ処理用コンピュータ（図示省略）が接続される。
また、前記増設カード１０６６は、プログラム等記憶部１００７と、観測データ記憶部１００９と、変換データ記憶部１０１１を含む。
【０１００】
前記プログラム等記憶部１００７は、ファイル形式の変換を行うために必要な基本的なプログラムが記憶されている。
前記観測データ記憶部１００９は、前記光度計本体で得た観測データを記憶する。
前記変換データ記憶部１０１１は、ファイル形式が変換された観測データを記憶する。
そして、ＣＰＵ１０３０は、前記プログラム等記憶部１００７に記憶されているプログラムに基づき、観測データ記憶部１００９に記憶された観測データを、データ処理用コンピュータのデータ処理用ソフトウェアが読み込めるファイル形式に変換する。次にこのデータを、インターフェース１０５４を介してデータ処理用コンピュータに出力する。
【０１０１】
本実施形態に係るリモートモジュール１０２６は、概略以上のように構成され、以下にその作用について説明する。
図２６には、本実施形態に係るリモートモジュール１０２６の処理内容を表すフローチャートが示されている。
同図に示すように、例えば、増設カード１０６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード１０６６を差し込み（ｓ５）、カードプログラムの起動を指示する信号が入力されると、ＣＰＵは、該カードプログラムを起動する。
【０１０２】
即ち、ＣＰＵ１０３０は、増設カード１０６６の各記憶部に記憶されているプログラム、設定内容等を、ＲＡＭ１０６０のプログラム等記憶部１０６４に読込み、表示手段１０５２に、その設定メニュー画面を表示させる（ｓ６）。
ここで、使用者は、タッチパネル１０７０等の入力手段１０３２によりリモートモジュールの設定を行い、またデータ処理用コンピュータの設定を行い例えば、変換元のファイル形式を選択し（ｓ７）、変換先のファイル形式等を選択することができる（ｓ８）。
【０１０３】
上述のようにファイル形式が設定され、転送の開始を指示する信号が入力されると、ＣＰＵ１０３０は、データ交換を開始する（ｓ９）。
即ち、ＣＰＵ１０３０は、観測データ記憶部に記憶されている観測データを、ＲＡＭ１０６０に読み込む。
【０１０４】
観測データが読み込まれると、ＣＰＵ１０３０は、上記設定のファイル形式に変換し（ｓ１０）、変換データ記憶部１０１１に書き込む。
変換データが書き込まれると、ＣＰＵ１０３０は、該変換データのデータ処理用コンピュータ（図示省略）への転送を開始する（ｓ１１）。
即ち、ＣＰＵ１０３０は、変換データ記憶部１０１１に格納されたデータを、前記インターフェース１０５４を介してデータ処理用コンピュータに出力する。
そして、前記データの転送が終了すると、データ処理用コンピュータにより、観測データのデータ処理を単体で行うことが可能となる。
【０１０５】
本実施形態に係るリモートモジュール１０２６によれば、前記増設カード１０６６として、データ交換を行うためのプログラムが記憶されているものを用いることとしたので、観測データを種々のファイル形式に変換することができ、種々のコンピュータ、メディア間でデータ交換が容易となる。
なお、変換先のファイル形式としては、例えば、ＪＣＡＭＰ−ＤＸ形式が一例として挙げられる。
【０１０６】
このＪＣＡＭＰ−ＤＸ形式によれば、次に掲げる利点を得ることができる。
例えば、大型計算機、ラボ用汎用計算機、市販のデータ処理システム・ワークスステーション・パーソナルコンピュータ等でのデータの交換が容易となる。
また、テキストファイルなので、市販のエディタ類でデータを見たり、変更したりすることができる。
さらに、スペクトルの他、ピークテーブルや三次元データも扱うことができる。
【０１０７】
測定異常値警報
分光光度計においては、透過率・吸光度等の測定値、あるいは、これらに一定の演算を施し、その結果により判断を行うという使用法がよく行われている。
この場合、求められる結果は、数値そのものとしての結果である場合が一般的であり、従来の分光光度計はこの出力を前提としていた。また、波長走査を行い、結果をスペクトルパターンとして出力させるものもある。
しかしながら、実際の使用目的としては、スペクトルパターンのままで十分という場合は少なく、何らかの数値に変換してその結果により良不良を判断する場合は多い。
【０１０８】
また、測定値を数値として扱う場合でも、その値が許容範囲内にあるかどうかという判断が必要な場合が多い。また、測定結果が許容範囲の中にあるかという、イエス・ノーの判断結果である場合も多い。このような目的に対して、測定結果から測定者が目で読み取って判断していた。
この場合、試料の数が少ない中は測定者の注意力も集中できて誤判断が起こる可能性は少ないが、品質検査のように多数の試料の測定や、連続流体のモニタ等の場合で、１年に数回しか異常が発生しないというような場合は、判断に誤りが生ずる場合が起こり易い。
そこで、本実施形態においては、記増設カードとして異常値の判断を容易に行うことができ、また異常値の有る場合、事故を未然に防ぐため、機器に対し必要な制御を行うプログラムが記憶されているものを用いることが好ましい。
【０１０９】
図２７には、本実施形態に係るリモートモジュール１１２６の概略構成を表すブロック図が示されている。なお、前記図７と対応する部分には、符号８００を加えて示し説明を省略する。
同図に示すリモートモジュール１１２６において、前記増設カード１１６６は、プログラム等記憶部１１１３と、正常範囲記憶部１１１５を含む。
前記プログラム等記憶部１１１３は、正常値か否かの判断を行い、また異常値が観測された場合、機器に必要な動作を行わせるための基本的なプログラムを記憶する。
【０１１０】
前記正常範囲記憶部１１１５は、入力手段１１３２より入力された正常値の範囲を記憶する。
そして、リモートモジュール１１２６のＣＰＵ１１３０は、観測データ記憶部１１６２に入力される観測データ又はその計算結果が、正常範囲記憶部１１１５に設定された正常値の範囲内に有るか否かを判断する。
このＣＰＵ１１３０は、正常値の範囲外、即ち異常値の前記観測データ又はその計算結果には、例えば、その数値には、アンダーライン、※印等の使用者に注意を喚起する記号を付して表示手段に表示させ、また印字手段に印字させる。また、このＣＰＵ１１３０は、異常レベル信号若しくはコマンド等を発生させ、機器に必要な制御を行わせる。
【０１１１】
本実施形態に係るリモートモジュール１１２６は、概略以上のように構成され、以下にその作用について説明する。
図２８には、本実施形態に係るリモートモジュール１１２６の処理内容を表すフローチャートが示されている。
同図に示すように、例えば、増設カード１１６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード１１６６を差し込み（ｓ５）、カードプログラムの起動を指示する信号が入力されると、ＣＰＵ１１３０は、該カードプログラムを起動する。
【０１１２】
前記カードプログラムが起動すると、表示手段１１５２には、その設定画面が表示されるので（ｓ６）、使用者は、入力手段１１３２より正常値の範囲、監視する観測データ等を入力する（ｓ７）。これらの設定が終了すると、ＣＰＵ１１３０は、その設定内容を、正常範囲記憶部１１１５に記憶する。
上記設定が終了し、監視の開始を指示する信号が入力されると、ＣＰＵ１１３０は、上記設定に基づき、観測データの監視を開始する（ｓ８）。
即ち、ＣＰＵ１１３０は、ＲＡＭの観測データ記憶部に入力される観測データ又はその計算結果が、上記正常範囲記憶部１１１５に記憶された正常値の範囲内に有るか否かを監視する（ｓ９）。
【０１１３】
ここで、正常値の範囲より外れたものを観測した場合、ＣＰＵ１１３０は、その数値にはアンダーライン、※印等の使用者に注意を喚起する記号等を付して、表示手段に表示させたり、印字手段に印字させる。ここで、異常レベル信号若しくはコマンド等を発生させ、機器に必要な制御を行っても良い（ｓ１０）。
なお、この場合、分光光度計としては、種々のものを用いることができるが、例えば、次に掲げるものを用いることも可能である。
【０１１４】
図２９には、本発明の一実施形態に係る分光光度計の概略構成が示されている。なお、前記図２と対応する部分には、符号１０００を加えて示し説明を省略する。また、本実施形態においては、試料として連続流体を用いた。
同図に示す分光光度計１１１０は、光度計本体のＣＰＵ１１３６に対し、リモートモジュール１１２６、表示装置１１１７、印字装置１１１９及び異常信号発生回路１１２１が、それぞれ接続されている。
【０１１５】
そして、前記図２７に示すリモートモジュール１１２６のＣＰＵ１１３０は、光度計本体のＣＰＵ１２３６を介して観測データ記憶部１１６４に入力される観測データ又はその計算結果が、正常範囲記憶部１１１５で設定された正常値の範囲内に有るか否かを判断する。このＣＰＵ１１３０は、前記観測データ又はその計算結果が、正常値の範囲外と判断したときは、例えば、表示装置１１１７、印字装置１１１９、異常信号発生回路１１２１に対し、次に掲げる処理（１）〜（３）のうち、一又は二以上の処理を行わせる。
即ち、
（１）リモートモジュール等の機器より警報が発せられる。
（２）表示装置１１１７の画面に表示される異常値、印字装置１２１９により印字される異常値に対して、アンダーライン、※印等の使用者に注意を喚起する記号等が付される。
（３）フローセル１１１６を出た試料溶液を、放水路１１２４に放水せず、溜池１１２３に貯める。
【０１１６】
即ち、前記異常信号発生回路１１２１には、切替バルブ１１２５が接続されており、ＣＰＵ１１３０が異常値を観測した場合は、該異常信号発生回路１１２１より異常値レベル信号を発生させ、該異常値レベル信号により切替バルブを切り替えて、フローセル１１１６を出た試料溶液を、溜池１１２３に流入させる。
なお、ＣＰＵ１１３０は、観測データ記憶部１１６２に入力される観測データ又はその計算結果が、正常値に戻ったことを確認した場合は、異常信号発生回路１１２１による前記異常値レベル信号の発生を中止させる。これにより、フローセル１１１６をデータ試料溶液は、放水路１１２４に放水されるように、切替バルブ１１２５が切り替わる。
【０１１７】
以上のように、本実施形態に係る分光光度計１１１０によれば、リモートモジュール１１２６の観測データ記憶部１１６２に入力される観測データ又はその計算結果が、正常値の範囲内に有るか否かを判断し、該観測データ等が正常値の範囲外と判断したときは、上記処理（１）〜（３）を行うこととした。
この結果、連続流体の測定においてほとんどの場合は、正常値の範囲内に有り、一年に一度有るか無いかの頻度で起こる異常状態であっても、これを容易に発見することができ、また異常の発見された試料の放水方法を制御することができるので、早期に処理することができる。
【０１１８】
図３０には、分光光度計に対し、薄膜の多層膜厚良否判断機構を適用した場合の概略構成が示されている。なお、前記図２９と対応する部分には、符号１００を加えて示し説明を省略する。また、本実施形態においては、試料として三層よりなる薄膜を用いた。
同図に示す分光光度計１２１０は、自動試料交換装置１２２７により供給された薄膜試料１２２９は、測光部１２１８により測光される。測光部１３１８で得た測定信号は、Ａ／Ｄ変換部１２２０によりディジタル信号に変換され、例えばＣＰＵよりなる演算処理部１２３６により透過率、吸光度、濃度等の値に変換される。
【０１１９】
ここで、例えば、薄膜の多層膜厚良否判断を行う場合、試料の数自体はそれほど多くないが、一の試料に対し多数の測定点が設けられ、しかもその判定基準がそれぞれの項目に対して異なるため、測定者の誤判断が多かった。しかも、正常値の範囲を越えるものがあっても、それだけで不良品としてロットアウトするわけでもなかったため、判断が特に困難であった。
そこで、本発明においては、前記正常値の範囲は、一の試料の二以上の測定点、又は二以上の試料の一若しくは二以上の測定点について設定した。
【０１２０】
このために本実施形態においては、１枚の薄膜試料に対して、１つの試料番号を与え、薄膜試料の５カ所の測定点のぞれぞれ３つの層の厚さを測定して、良品、不良品の判定を行った。
即ち、リモートモジュール１２２６のＣＰＵ１２３０が、対象となる薄膜試料の合計１５カ所の測定点で、正常値の範囲を越えるものが２カ所以上あると判断した場合は、上述のように、その異常値に対して、使用者に注意を喚起する記号等を付したり、異常値レベル信号を発する。
【０１２１】
図３１には、本実施形態において試料として用いた、三層よりなる薄膜試料１２２９が示されている。なお、同図（ａ）は上面図、同図（ｂ）は側面図である。
同図に示す薄膜試料１２２９には、例えば、第１層（Ｓ１）には、５の測定点（Ｓ１１，Ｓ１２，Ｓ１３，Ｓ１４，Ｓ１５）があり、同様にして第２層（Ｓ２）、第３層（Ｓ３）にも、それぞれ５の測定点（Ｓ２ｉ，Ｓ３ｉ）がある。そして、本実施形態においては、これらの測定点における第１層（Ｓ１）〜第３層（Ｓ３）迄の各層の厚さを計算した。
また、前記正常値の範囲の一例を、下記表１に示す。
【０１２２】
【表１】
正常値の範囲
第１層  ：  ≧０．１０  ≦０．１５
第２層  ：  ≧０．５０  ≦０．７５
第３層  ：  ≧１．００  ≦１．５０
そして、本実施形態においては、合計１５カ所の測定点より得た測定値のうち、２カ所以上の測定値が、上記表１に示す正常値の範囲外に有ると判断したときは、その異常値に対して、使用者に注意を喚起する記号等を付したり、異常値レベル信号を発する。
【０１２３】
つぎに、測定結果を、下記表２〜表３に示す。
【表２】
試料番号：  ００５  ＊＊
測定点  ：  １          ２          ３          ４          ５
第１層  ：  ０．１２    ０．１３    ０．１４    ０．１１    ０．１６
第２層  ：  ０．５３  ＊０．８０    ０．６５  ＊０．７７    ０．６６
第３層  ：  １．２３    １．４２    １．４１    １．０８    １．１９
【０１２４】
【表３】
試料番号：  ００６
測定点  ：  １          ２          ３          ４          ５
第１層  ：  ０．１３    ０．１３    ０．１３  ＊０．１８    ０．３０
第２層  ：  ０．５３    ０．６１    ０．６６    ０．６７    ０．５９
第３層  ：  １．２２    １．２９    １．３９    １．４２    １．３９
【０１２５】
上記表２〜表３より明らかなように、ＣＰＵ１２３０により正常値の範囲外と判断されたものは、その異常値に対して、例えば、※印等の注意を喚起する記号等が付され、また前記表２に示すように二以上の異常値が観測された試料番号００５の側方には※※を付して不良品であることを示し、これは表示装置１２１７により表示されたり、印字装置１２１９により印字される。
【０１２６】
このように、これらの測定値が正常値か又は異常値かの判断を行うとき、これらの測定値の所定数、例えば二以上の測定値が、正常値の範囲から外れているとき、その試料を不良品として判断を行う場合には、測定者に要求される注意力集中の度合いは、大きなものとなるが、本実施形態のように、例えば、下記表４に示す論理式により各試料の判断結果を試料番号の後に出力することにより、測定者は、この結果部分だけを確認して良否の判定を行えばよいこととなり、操作容易化を図ることができる。
【０１２７】
また、本実施形態においては、異常値が観測された場合、異常信号発生回路より異常値レベル信号を発生させ、これにより試料の自動選別装置１２３１を動作させ、試料を自動に選別させることが好ましい。
即ち、異常値が観測された場合、異常レベル信号が発せられ、これにより試料の自動選別装置１２３１は、その駆動部１２３３を動作させて、その不良品用トレイ１２３５の上に、異常値が観測された試料を載せる。
【０１２８】
これに対し、観測データ又はその計算結果が、正常値の範囲に有る場合は、異常信号発生回路より異常レベル信号は発せられず、これにより自動選別装置１２３１は、その駆動部１２３３を動作させて、その良品用トレイ１２３７の上に、正常値の範囲に有った試料を載せる。
【０１２９】
以上のように、本実施形態に係る分光光度計１２１０によれば、薄膜の多層膜厚良否判断のように、試料の数自体はそれほど多くないが、一の試料に対して多数の測定点が設けられ、しかもその判定基準がそれぞれの項目に対して異なる決められた場合であっても、例えば、下記表４に示す論理式に従って計算され、異常なものだけが強調表示されるため、測定結果の誤判断を大幅に低減することができる。
【０１３０】
【表４】
以下に、ＢＡＳＩＣプログラム言語による上記論理式の一例を示す。
REM 異常判断
0003798539.tif 000002
【０１３１】
そして、この論理式に基づき一連の測定値の判断を行い、ＤＤ（ｋ）＝０であれば良、ＤＤ（ｋ）＝１であれば不良と判断して、その結果を出力する。
ただし、上記論理式において、Ｍ（ｋ，ｍ，ｎ）は測定値、ｋは試料番号、ｍは層番号、ｎは測定点番号、Ｄ（ｋ、ｍ、ｎ）は異常判断結果、ＳＵＭ（ｋ）は異常判断結果の集計、ＤＤ（ｋ）は試料の良否判断結果とした。
また、各層の正常範囲は、第１層を、ａ（１）≦Ｍ（ｋ，１，ｎ）≦ｂ（１）、
第２層を、第２層を、ａ（２）≦Ｍ（ｋ，２，ｎ）≦ｂ（２）、第３層を、ａ（３）≦Ｍ（ｋ，３，ｎ）≦ｂ（３）とした。
また、Ｋｍａｘは最大試料番号、Ｌａｙｅｒは層数、Ｐｏｉｎｔは測定点数とした。
さらに、判断結果の初期値をゼロ、異常判断結果が異常のものは１、良否判断結果が不良のものは１とした。
【０１３２】
つぎに、本実施形態においては、機器にエラーが生じた場合、それを使用者に知らせる方法としては、種々の方法が考えられるが、例えば、次に掲げるものが好適である。
本実施形態においては、前記増設カードとして、機器にエラーが発生した場合、そのエラー内容を表示可能なプログラムが記憶されていることが好ましい。
【０１３３】
図３２には、本実施形態に係るリモートモジュールの概略構成を表すブロック図が示されている。なお、前記図７と対応する部分には、符号１１００を加えて示し説明を省略する。
同図に示すリモートモジュール１４２６において、前記増設カード１４６６は、プログラム等記憶部１４２９、キー情報記憶部１４４１、エラー情報記憶部１４４３を含む。
【０１３４】
前記プログラム等記憶部１４２９は、上記機能を実行するために必要な基本的なプログラムが記憶されている。
前記キー情報記憶部１４４１は、機器にエラーが発生した場合、表示手段１４５２に表示させるキー情報を記憶する。
前記エラー情報記憶部１４４３は、前記エラーに対応する説明等が記憶されている。
そして、ＣＰＵ１４３０は、前記プログラム等記憶部１４３９に記憶されたプログラムに基づき、キー情報記憶部１４４１、エラー情報記憶部１４４３に適宜アクセスし、機器にエラーが発生した場合、表示手段１４５２に、そのエラー内容を表示させることができる。
【０１３５】
本実施形態に係るリモートモジュール１４２６は概略以上のように構成され、以下にその作用について説明する。
図３３には、本実施形態に係るリモートモジュール１４２６の処理内容を表すフローチャートが示されている。
同図に示すように、例えば、増設カード１４６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード１４６６を差し込み（ｓ５）、カードプログラムの起動を指示する信号が入力されると、ＣＰＵ１４３０は、該カードプログラムを起動する（ｓ６）。
【０１３６】
上記カードプログラムが起動すると、ＣＰＵ１４３０は、機器エラー信号が有るか否かの監視を開始する。
ここで、ＣＰＵ１４３０は、リモートモジュール１４２６に接続されている機器よりエラー信号が入力されると、キー情報記憶部１４４１にアクセスし、表示手段１４５２に、まず、Ｅｒｒｏｒキー１４４５（図３４（ａ）参照）を表示させる（ｓ８）。
そのＥｒｒｏｒキー１４４５がタッチパネル１４７０等により選択されると（ｓ９）、ＣＰＵは１４３０、キー情報記憶部１４４１にアクセスし、表示手段１４５２に、前記Ｅｒｒｏｒキー１４４５に代えて、Ｎｏｔｉｃｅキー１４４７（図３４（ｂ）参照）を表示させる（ｓ１０）。
そのＮｏｔｉｃｅキー１４４７が選択されると（ｓ１１）、ＣＰＵ１４３０は、前記エラー信号に対応するエラーの内容を、エラー情報記憶部１４４３より検索し、表示手段１４５２に、そのエラー内容、即ち、どういうエラーが生じたのか、又は注意をすべき点は何かを表示させることとした（ｓ１２）。
【０１３７】
また、ＣＰＵ１４３０は、機器にエラーが生じた場合、表示手段１４５２には、常にＥｒｒｏｒキー１４４５を表示することができるような状態とすることにより、従来のように、何らかの機能を実行したとき、はじめてエラメッセージを表示させるものに比較し、機器のエラーに対し迅速に対応することができる。
また、ＣＰＵ１４３０は、機器にエラーが生じた場合、いちいち長い文章を表示させずに、まずＥｒｒｏｒキー１４４５を表示させ、使用者の判断によりこのエラーの内容を表示するか否かを選択することができるので、試料のモニタ中でもその作業を邪魔することがない。
【０１３８】
また、ＣＰＵ１４３０は、二以上のエラーが同時に出たとき、入力手段１４３２等を用い、表示手段１４５２のエラーメッセージの表示領域を固定せず変更可能とすることにより、その表示領域が固定されたものに比較し、エラーメッセージが見やすいものとなる。
また、本実施形態においては、表示手段１４５２に、機器にどのようなエラーが生じたのか、又は注意をすべき点は何かが表示されたとき、リモートモジュール１４２６に接続されている光度計本体及びその他の外部機器の状態をスイッチ・キーとして表示手段１４５２に表示させる。そして、そのスイッチ・キーが入力されると、その機器の状態を変更させることが好ましい。
このために本実施形態においては、ＣＰＵ１４３０は、キー情報記憶部１４４１にアクセスし、表示手段１４５２には、例えば、図３５に示すように光度計本体の光源の「Ｏｎ」スイッチ・キー１４４９、「Ｏｆｆ」スイッチ・キー１４５１をトグル（白黒反転等）で表示させる。
【０１３９】
ここで、使用者が、表示手段１４５２に表示されたエラーメッセージの内容に従い、タッチパネル１４７０より「Ｏｎ」スイッチ・キー１４４９を押すと、光源をＯｎし、また「Ｏｆｆ」スイッチ・キー１４５１を押すと、光源をＯｆｆすることができる。
これにより、前記トグル表示等の工夫のないものに比較し、その表示手段に表示された画面の内容が見やすいものとなる。この結果、誤入力等を大幅に低減することができ、また操作性の向上を図ることができる。また、リモートモジュール１４２６より、該モジュールに接続されている機器の状態を変更することができるので、操作容易化を図ることができる。
【０１４０】
ヘルプ
従来、この種の分野では、使用者は、その操作方法についてわからないことがあると、マニュアルブックよりその操作方法を見つけ出すことが一般的であった。
しかしながら、分光光度計の多機能化に伴って、その操作方法のマニュアルブックも分厚いものとなってしまい、所望の操作方法のページを見つけ出すことも、次第に面倒になってしまった。
そこで、本実施形態においては、前記増設カードとして操作方法に関するヘルプ機能を備えることが好ましい。
【０１４１】
図３６には、本実施形態に係るリモートモジュールの概略構成を表すブロック図が示されている。なお、前記図７と対応する部分には、符号１２００を加えて示し説明を省略する。
同図に示すリモートモジュール１５２６において、増設カード１５６６は、プログラム等記憶部１５５３と、キーワード記憶部１５５５と、マニュアル記憶部１５５７を含む。
【０１４２】
前記プログラム等記憶部１５５３は、上記ヘルプ機能を行うために必要な基本的なプログラムが記憶されている。
前記キーワード記憶部１５５５は、操作方法に関連するキーワードが記憶されている。
前記マニュアル記憶部１５５７は、各キーワードに対応した操作方法が記憶されている。
そして、キーボード１５６８により、知りたい操作方法のキーワードを直接入力したり、タッチパネルにより、一覧よりキーワード等を選択する。
ＣＰＵ１５３０は、入力手段１５３２より入力されたキーワードに対応した操作方法を、前記マニュアル記憶部１５５７より検索して表示手段１５５２に表示させる。
【０１４３】
本実施形態に係るリモートモジュール１５２６は、概略以上のように構成され、以下にその作用について説明する。
図３７には、本実施形態に係るリモートモジュール１５２６の処理内容を表すフローチャートが示されている。
同図に示すように、例えば、増設カード１５６６を差し込み（ｓ１）、本体のＰｏｗｅｒスイッチをＯＮすると（ｓ２）、又は本体のＰｏｗｅｒスイッチをＯＮし（ｓ３）、標準プログラムを起動した後（ｓ４）、増設カード１５６６を差し込み（ｓ５）、カードプログラムの起動を指示する信号が入力されると、ＣＰＵ１５３０は、該カードプログラムを起動する。
【０１４４】
上記カードプログラムが起動すると、ヘルプ画面が表示されるので（ｓ６）、キーボード１５６８よりキーワードを直接入力したり、タッチパネル１５７０により、一覧よりキーワードを選択する。
ここで、前記タッチパネル１５７０により選択されるキーワードの一覧は、選択されると、トグル表示されるものが好ましい。これにより、使用者は、選択されたキーワードを容易に確認するとができ、また誤入力を大幅に低減することができるからである。
【０１４５】
キーワードが入力されると、ＣＰＵ１５３０は、キーワード記憶部１５５５に記憶されているキーワードの一覧を読み出し、表示手段１４５２に表示させる（ｓ７）。
ここで、使用者は、表示手段１４５２の画面に表示されたキーワードより、みたい操作方法に関するキーワードを見つけ出し、タッチパネル１５７０等で選択する（ｓ８）。
キーワードが選択されると、ＣＰＵ１５３０は、該キーワードに対応する操作方法を、マニュアル記憶部１５５７より検索し、表示手段１４５２に表示させる（ｓ９）。
【０１４６】
本実施形態に係るリモートモジュール１５２６によれば、上述のように増設カード１５６６として、機器等の操作方法を検索することができるプログラムが記憶されているものを用いることにより、キーワードよりその操作方法を検索することができ、その工夫のないものに比較し、操作容易化を図ることができる。
また、その内容を書き換え可能な増設カードを用いることにより、機器の機能の変更のあった場合は、一から印刷をし直さなければならないマニュアルブックに比較し、紙の省資源化を図ることができる。
【０１４７】
なお、本発明の分光光度計としては、前記各構成に限定されるものでなく、発明の要旨の範囲内で種々の変形が可能である。
例えば、前記図２においては、図中左方より、リモートモジュール、光度計本体、外部機器の順に、各機器を数珠つなぎした場合について説明したが、これに代えて、例えば、リモートモジュール、外部機器、光度計本体の順でも良い。
【０１４８】
また、最後の機器、例えば、前記図２に示す外部機器の空きのインタフェースには、さらに一又は二以上の外部機器を数珠つなぎしても良い。
また、前記リモートモジュールのＣＰＵの各機能を、光度計本体のＣＰＵで代行しても良い。
【０１４９】
【発明の効果】
以上説明したように、本発明に係る分光光度計によれば、前述のように、光度計本体、外部機器及びリモートモジュール等の各機器を、それぞれ数珠つなぎした。そして、各機器は、リモートモジュールから直接に授受されたコマンド又はその他の機器を介して授受されたリモートモジュールからのコマンドのうち、各機器に対応するコマンドのみを授受し、該コマンドに基づき、その機器自体を動作させる。これに対し、前記リモートモジュールからのコマンドが、その機器に対応するコマンドを含まない場合は、そのコマンドの内容を解釈せず後段の機器に出力することとしたので、一のリモートモジュールの処理能力の低減を図ることができ、システム全体の処理効率の向上を図ることができる。
なお、前記外部機器と同様の機能を有し、ＣＰＵを含まない付属機器を、前記光度計本体に対し接続した場合は、光度計本体のＣＰＵは、前記リモートモジュールから直接に授受されたコマンド又はその他の機器を介して授受されたリモートモジュールからのコマンドのうち、前記付属機器と同様の機能を有する外部機器を制御するコマンドを授受し、該コマンドに基づき、付属機器を動作させることとしたので、一のコマンドで、同様の機能を有する二以上の機器の動作を制御することができ、例えば、同様の機能を有しても、別個独立のコマンドで制御していた従来のものに比較し、操作容易化、システム全体の処理効率の向上等を図ることができる。
【図面の簡単な説明】
【図１】図１（ａ）は、一般的な分光光度計の概略構成の説明図、図１（ｂ）は、該分光光度計のブロック図である。
【図２】図２（ａ）は、本発明の一実施形態に係る分光光度計の概略構成の説明図、図２（ｂ）は、該分光光度計のブロック図である。
【図３】図３は、図２に示す分光光度計の処理内容を表すフローチャートである。
【図４】図４は、図２に示す分光光度計の各機器間でのコマンドの授受方法の説明図である。
【図５】図５は、図２に示す分光光度計の変形例の概略構成を表すブロック図である。
【図６】図６は、図５に示す分光光度計の各機器間でのコマンドの授受方法の説明図である。
【図７】図７は、本実施形態に係るリモートモジュールの説明図である。
【図８】図８は、本実施形態に係るリモートモジュールの一例を示すブロック図である。
【図９】図９は、図８に示すリモートモジュールの処理内容を示すフローチャートである。
【図１０】図１０は、本実施形態に係るリモートモジュールの一例を示すブロック図である。
【図１１】図１１は、図１０に示すリモートモジュールの処理内容を示すフローチャートである。
【図１２】図１２は、本実施形態に係るリモートモジュールの一例を示すブロック図である。
【図１３】図１３は、図１２に示すリモートモジュールの処理内容を示すフローチャートである。
【図１４】図１４は、図１２に示すリモートモジュールによる入力モードの変更例である。
【図１５】図１５は、本実施形態に係るリモートモジュールの一例を示すブロック図である。
【図１６】図１６は、図１５に示すリモートモジュールの処理内容を示すフローチャートである。
【図１７】図１７は、図１５に示すリモートモジュールによる各メニュー画面の一例である。
【図１８】図１８は、図１５に示すリモートモジュールによる各メニュー画面の一例である。
【図１９】図１９は、本実施形態に係るリモートモジュールの一例を示すブロック図である。
【図２０】図２０は、図１９に示すリモートモジュールの処理内容を示すフローチャートである。
【図２１】図２１は、図１９に示すリモートモジュールの印字設定画面の一例である。
【図２２】図２２は、本実施形態に係るリモートモジュールの一例を示すブロック図である。
【図２３】図２３は、図２２に示すリモートモジュールの処理内容を示すフローチャートである。
【図２４】図２４は、図２２に示すリモートモジュールによる観測データの保存方法の説明図である。
【図２５】図２５は、本実施形態に係るリモートモジュールの一例を示すブロック図である。
【図２６】図２６は、図２５に示すリモートモジュールの処理内容を示すフローチャートである。
【図２７】図２７は、本実施形態に係るリモートモジュールの一例を示すブロック図である。
【図２８】図２８は、図２７に示すリモートモジュールの処理内容を示すフローチャートである。
【図２９】図２９は、本実施形態に係る分光光度計の概略構成の説明図である。
【図３０】図３０は、図２９に示す分光光度計の変形例の説明図である。
【図３１】図３１は、図３０に示す分光光度計で用いた試料の説明図である。
【図３２】図３２は、本実施形態に係るリモートモジュールの一例を示すブロック図である。
【図３３】図３３は、図３２に示すリモートモジュールの処理内容を示すフローチャートである。
【図３４】図３４は、図３２に示すリモートモジュールによるトグル表示の一例である。
【図３５】図３５は、図３２に示すリモートモジュールによるトグル表示の一例である。
【図３６】図３６は、本実施形態に係るリモートモジュールの一例を示すブロック図である。
【図３７】図３７は、図３６に示すリモートモジュールの処理内容を示すフローチャートである。
【符号の説明】
１１０  分光光度計
１１４  ポンプ（外部機器）
１２６  リモートモジュール
１２８  光度計本体
１６６  増設カード
【図１】
0003798539.tif 000003
【図２】
0003798539.tif 000004
【図３】
0003798539.tif 000005
【図４】
0003798539.tif 000006
【図５】
0003798539.tif 000007
【図６】
0003798539.tif 000008
【図７】
0003798539.tif 000009
【図８】
0003798539.tif 000010
【図９】
0003798539.tif 000011
【図１０】
0003798539.tif 000012
【図１１】
0003798539.tif 000013
【図１２】
0003798539.tif 000014
【図１３】
0003798539.tif 000015
【図１４】
0003798539.tif 000016
【図１５】
0003798539.tif 000017
【図１６】
0003798539.tif 000018
【図１７】
0003798539.tif 000019
【図１８】
0003798539.tif 000020
【図１９】
0003798539.tif 000021
【図２０】
0003798539.tif 000022
【図２１】
0003798539.tif 000023
【図２２】
0003798539.tif 000024
【図２３】
0003798539.tif 000025
【図２４】
0003798539.tif 000026
【図２５】
0003798539.tif 000027
【図２６】
0003798539.tif 000028
【図２７】
0003798539.tif 000029
【図２８】
0003798539.tif 000030
【図２９】
0003798539.tif 000031
【図３０】
0003798539.tif 000032
【図３１】
0003798539.tif 000033
【図３２】
0003798539.tif 000034
【図３３】
0003798539.tif 000035
【図３４】
0003798539.tif 000036
【図３５】
0003798539.tif 000037
【図３６】
0003798539.tif 000038
【図３７】
0003798539.tif 000039